(57)【要約】【課題】屋内負圧が強い場合でも、清浄化されないまま屋内に取り込まれる空気の割合が増大することを防止できる空気清浄換気装置を得ること。【解決手段】建屋内に設置される空気清浄換気装置１０１であって、建屋の外部から空気を取り込む給気口１ｄを備えた送風機１と、送風機１から送り出された空気を清浄化して清浄空気４にする除塵脱臭装置２と、清浄空気４を建屋の内部へ供給する吹出口１ｆと、建屋の内部の負圧の強度を検出する屋内外圧力センサ６と、屋内外圧力センサ６の測定結果に基づいて送風機１の運転強度を制御する制御部５とを備え、制御部５は、建屋の内部の負圧が強いほど送風機１の運転強度を強くする。【選択図】図２
2018031516.tif 000002
【特許請求の範囲】
【請求項１】
建屋内に設置される空気清浄換気装置であって、
前記建屋の外部から空気を取り込む第１の空気取込口を備えた送風機と、
前記送風機から送り出された空気を清浄化して清浄空気にする除塵脱臭装置と、
前記清浄空気を前記建屋の内部へ供給する吹出口と、
前記建屋の内部の負圧の強度を検出する負圧強度測定手段と、
前記負圧強度測定手段の測定結果に基づいて前記送風機の運転強度を制御する制御部とを備え、
前記制御部は、前記建屋の内部の負圧が強いほど前記送風機の運転強度を強くすることを特徴とする空気清浄換気装置。
【請求項２】
前記負圧強度測定手段は、前記建屋の内部と前記建屋の外部との気圧差を検出する屋内外圧力センサであることを特徴とする請求項１に記載の空気清浄換気装置。
【請求項３】
建屋内に設置される空気清浄換気装置であって、
屋外から空気を取り込む第１の空気取込口を備えた送風機と、
前記送風機から送り出された空気を清浄化して清浄空気にする除塵脱臭装置と、
前記清浄空気を前記建屋の内部へ供給する吹出口と、
前記建屋に設置された換気扇の運転状態情報を受信する受信装置と、
前記運転状態情報に基づいて前記送風機の運転強度を制御する制御部とを備え、
前記制御部は、前記換気扇の運転強度が強いほど前記送風機の運転強度を強くすることを特徴とする空気清浄換気装置。
【請求項４】
前記送風機は、前記建屋の内部から空気を取り込む第２の空気取込口を備えており、
前記第１の空気取込口を経て前記送風機に取り込まれる屋外空気及び前記第２の空気取込みを経て前記送風機に取り込まれる循環空気の比率を変化させる風量調整ダンパとを有し、
前記制御部は、前記送風機の運転強度を強くする際には、前記送風機に取り込まれる空気のうちで前記屋外空気の割合を高くする方向に前記風量調整ダンパを移動させ、前記送風機の運転強度を弱くする際には、前記送風機に取り込まれる空気のうちで前記屋外空気の割合を低くする方向に前記風量調整ダンパを移動させることを特徴とする請求項１から３のいずれか１項に記載の空気清浄換気装置。
【発明の詳細な説明】
【技術分野】
【０００１】
本発明は、建屋内に設置される空気清浄換気装置に関する。
【背景技術】
【０００２】
近年、建屋の気密度が高くなったことにより、屋内で発生した塵埃、臭気及び二酸化炭素が屋内に滞りやすくなっている。
【０００３】
屋内で発生した塵埃、臭気及び二酸化炭素を処理するために屋内空気と屋外空気とを入れ替える換気を行う際には、粒子状物質、臭気原因物質及び雑菌を除去してから屋外空気を屋内に取り込むことが望まれる。特に、ＰＭ(Particulate Matter)２．５と称される直径２．５μｍ以下の微小粒子状物質及びアレルゲン物質である花粉を除去することに対する要求は高まっている。以下、粒子状物質、臭気原因物質及び雑菌を空気から除去することを、「空気を清浄化する」という。また、清浄化された空気を「清浄空気」という。
【０００４】
特許文献１には、屋内に空気を取り込む給気口にフィルタを設けて空気を清浄化する空気清浄機が開示されている。
【先行技術文献】
【特許文献】
【０００５】
【特許文献１】特開２０１３−２１０１６２号公報
【発明の概要】
【発明が解決しようとする課題】
【０００６】
しかしながら、特許文献１に開示される空気清浄機は、屋内に別途設置された換気扇が動作して屋内負圧が強くなると、給気口を経ずに建屋の隙間から屋内に取り込まれる屋外空気が増え、清浄化されることなく屋内に取り込まれる空気の割合が増大してしまう。なお、屋内負圧が強くなるとは、屋内の気圧から屋外の気圧を減じた結果の絶対値が大きくなることである。したがって、屋内負圧が強い状態とは、屋内の気圧と屋外の気圧との気圧差の値そのものは小さい値であることを意味する。
【０００７】
本発明は、上記に鑑みてなされたものであって、屋内負圧が強い場合でも、清浄化されないまま屋内に取り込まれる空気の割合が増大することを抑制できる空気清浄換気装置を得ることを目的とする。
【課題を解決するための手段】
【０００８】
上述した課題を解決し、目的を達成するために、本発明は、建屋内に設置される空気清浄換気装置であって、建屋の外部から空気を取り込む第１の空気取込口を備えた送風機と、送風機から送り出された空気を清浄化して清浄空気にする除塵脱臭装置と、清浄空気を建屋の内部へ供給する吹出口と、建屋の内部の負圧の強度を検出する負圧強度測定手段と、負圧強度測定手段の測定結果に基づいて送風機の運転強度を制御する制御部とを備える。制御部は、建屋の内部の負圧が強いほど送風機の運転強度を強くする。
【発明の効果】
【０００９】
本発明によれば、屋内負圧が強い場合でも、清浄化されないまま屋内に取り込まれる空気の割合が増大することを抑制できるという効果を奏する。
【図面の簡単な説明】
【００１０】
【図１】実施の形態１に係る空気清浄換気装置の機能ブロック図
【図２】実施の形態１に係る空気清浄換気装置の模式図
【図３】実施の形態１に係る空気清浄換気装置の動作の流れを示すフローチャート
【図４】実施の形態２に係る空気清浄換気装置の機能ブロック図
【図５】実施の形態２に係る空気清浄換気装置の模式図
【図６】実施の形態２に係る空気清浄換気装置の動作の流れを示すフローチャート
【図７】実施の形態３に係る空気清浄換気装置の機能ブロック図
【図８】実施の形態３に係る空気清浄換気装置の模式図
【図９】実施の形態３に係る空気清浄換気装置の模式図
【図１０】実施の形態３に係る空気清浄換気装置の動作の流れを示すフローチャート
【図１１】実施の形態１、実施の形態２又は実施の形態３に係る空気清浄換気装置の制御部の機能をハードウェアで実現した構成を示す図
【図１２】実施の形態１、実施の形態２又は実施の形態３に係る空気清浄換気装置の制御部の機能をソフトウェアで実現した構成を示す図
【発明を実施するための形態】
【００１１】
以下に、本発明の実施の形態に係る空気清浄換気装置を図面に基づいて詳細に説明する。なお、この実施の形態によりこの発明が限定されるものではない。
【００１２】
実施の形態１．
図１は、本発明の実施の形態１に係る空気清浄換気装置の機能ブロック図である。図２は、実施の形態１に係る空気清浄換気装置の模式図である。実施の形態１に係る空気清浄換気装置１０１は、建屋の外部から屋外空気３を取り込む第１の空気取込口である給気口１ｄを備えた送風機１と、送風機１から送り出された空気を清浄化して清浄空気４にする除塵脱臭装置２と、建屋の内部と建屋の外部との気圧差を検出する屋内外圧力センサ６と、屋内外圧力センサ６の測定結果に基づいて送風機１の運転強度を制御する制御部５とを備える。空気清浄換気装置１０１は、建屋内に設置される。建屋は、一般家庭住宅、業務用事務所、店舗及び工場を例示できるが、これらに限定されない。屋内外圧力センサ６は、建屋の内部の負圧の強度を検出する負圧強度測定手段であり、建屋の内部の気圧と建屋の外部の気圧とを測定することにより、建屋の内部の負圧の強度を間接的に検出することができる。以下の説明において、建屋の内部を屋内といい、建屋の外部を屋外という。
【００１３】
送風機１は、モータ１ａのシャフト１ｂにファン１ｃが取り付けられた構造であり、モータ１ａの回転速度が速いほどファン１ｃの回転が速くなり運転強度が強くなる。送風機１は、屋外から空気を取り込む給気口１ｄと、清浄空気４を屋内へ供給する吹出口１ｆとが設けられている。送風機１の運転強度が強くなると、給気口１ｄを経て送風機１に取り込まれる屋外空気３の風量が増大し、除塵脱臭装置２から吹出口１ｆを経て屋内へ供給される清浄空気４の風量も増大する。
【００１４】
除塵脱臭装置２には、プラズマにより粒子状物質及び雑菌を分解するプラズマ発生装置と、臭気原因物質を吸着して脱臭する活性炭フィルタとを組み合わせたものを適用できるが、プラズマ発生装置の代わりにＨＥＰＡ（High  Efficiency  Particulate  Air）フィルタを用いることもできる。
【００１５】
実施の形態１に係る空気清浄換気装置１０１の動作について説明する。なお、以下の説明では、送風機１の運転強度は弱及び強の２段階であるとする。また、閾値負圧Ｐ０は、予め制御部５に設定保持されているとする。
【００１６】
図３は、実施の形態１に係る空気清浄換気装置の動作の流れを示すフローチャートである。ステップＳ１０１において、制御部５は、弱の運転強度で送風機１を運転する。ステップＳ１０２において、制御部５は、屋内外圧力センサ６から測定結果を受信し、屋内負圧Ｐが閾値負圧Ｐ０よりも強いか否かを判断する。なお、屋内負圧Ｐが閾値負圧Ｐ０よりも強いとは、屋内負圧Ｐの絶対値が閾値負圧Ｐ０の絶対値よりも大きいことを意味し、屋内負圧Ｐの値は閾値負圧Ｐ０の値よりも小さい状態であることを意味する。
【００１７】
屋内負圧Ｐが閾値負圧Ｐ０よりも強い場合には、ステップＳ１０２でＹｅｓとなり、ステップＳ１０３において、制御部５は、強の運転強度で送風機１を運転する。一方、屋内負圧Ｐが閾値負圧Ｐ０と同じであるか、閾値負圧Ｐ０よりも弱い場合には、ステップＳ１０２でＮｏとなり、ステップＳ１０１に進んで、制御部５は、弱の運転強度で送風機１を運転し、弱の運転強度での送風機１の運転を継続する。
【００１８】
ステップＳ１０３の後、ステップＳ１０４において、制御部５は、屋内外圧力センサ６から測定結果を受信し、屋内負圧Ｐが閾値負圧Ｐ０よりも弱いか否かを判断する。なお、屋内負圧Ｐが閾値負圧Ｐ０よりも弱いとは、屋内負圧Ｐの絶対値が閾値負圧Ｐ０の絶対値よりも小さいことを意味し、屋内負圧の値は閾値負圧Ｐ０よりも大きい状態であることを意味する。
【００１９】
屋内負圧Ｐが閾値負圧Ｐ０よりも弱い場合には、ステップＳ１０４でＹｅｓとなり、ステップＳ１０１において、制御部５は、弱の運転強度で送風機１を運転する。一方、屋内負圧Ｐが閾値負圧Ｐ０と同じであるか、閾値負圧Ｐ０よりも強い場合には、ステップＳ１０４でＮｏとなり、ステップＳ１０３に進んで制御部５は、強の運転強度で送風機１を運転し、強の運転強度での送風機１の運転を継続する。
【００２０】
なお、上記のステップＳ１０２の判定処理では、屋内負圧Ｐと閾値負圧Ｐ０とが等しい場合を“Ｎｏ”と判定しているが、“Ｙｅｓ”と判定してもよい。すなわち、屋内負圧Ｐと閾値負圧Ｐ０とが等しい場合を“Ｙｅｓ”又は“Ｎｏ”の何れで判定してもよい。
【００２１】
また、上記のステップＳ１０４の判定処理では、屋内負圧Ｐと閾値負圧Ｐ０とが等しい場合を“Ｎｏ”と判定しているが、“Ｙｅｓ”と判定してもよい。すなわち、屋内負圧Ｐと閾値負圧Ｐ０とが等しい場合を“Ｙｅｓ”又は“Ｎｏ”の何れで判定してもよい。
【００２２】
上記の説明では、送風機１の運転強度は弱及び強の２段階であるが、送風機１の運転強度が弱、中及び強の３段階であるならば、閾値負圧Ｐ０に加え、閾値負圧よりも負圧が強い閾値負圧Ｐ１を設定し、屋内負圧Ｐが閾値負圧Ｐ０と同じか閾値負圧Ｐ０よりも弱い場合には弱の運転強度で送風機１を運転し、屋内負圧Ｐが閾値負圧Ｐ０よりも強く、閾値負圧Ｐ１と同じか閾値負圧Ｐ１よりも弱い場合には中の運転強度で送風機１を運転し、屋内負圧Ｐが閾値負圧Ｐ１よりも強い場合に強の運転強度で送風機１を運転すればよい。閾値負圧の設定数を更に増やすことで、送風機１の４段階以上の運転強度の中から制御部５が運転強度を決定することが可能である。なお、屋内負圧Ｐが強いほど送風機１の運転強度が強くなるように、送風機１の運転強度を無段階に変更するようにしてもよい。
【００２３】
実施の形態１に係る空気清浄換気装置１０１は、屋内負圧Ｐが閾値負圧Ｐ０よりも強い場合に送風機１の運転強度を強くし、除塵脱臭装置２を通過して屋内に供給される清浄空気４の量を増やすことができる。つまり、実施の形態１に係る空気清浄換気装置１０１は、建屋の隙間から清浄化されないまま屋内に侵入する屋外空気３の割合が高まることを防止することができる。したがって、実施の形態１に係る空気清浄換気装置１０１は、粒子状物質、臭気原因物質及び雑菌が屋内に取り込まれることを抑制できる。
【００２４】
実施の形態２．
図４は、本発明の実施の形態２に係る空気清浄換気装置の機能ブロック図である。図５は、実施の形態２に係る空気清浄換気装置の模式図である。実施の形態２に係る空気清浄換気装置１０２は、建屋に別途設置された換気扇２００から運転状態情報を受信する受信装置７を備え、屋内外圧力センサを備えない点で実施の形態１に係る空気清浄換気装置１０１と相違する。制御部５２は、運転状態情報に基づいて送風機１の運転強度を制御する。送風機１及び除塵脱臭装置２は、実施の形態１と同様である。
【００２５】
実施の形態２に係る空気清浄換気装置１０２の動作について説明する。なお、以下の説明では、送風機１の運転強度は弱、中及び強の３段階であるとする。また、建屋に別途設置された換気扇２００の運転強度は、弱、中及び強の３段階であるとする。
【００２６】
図６は、実施の形態２に係る空気清浄換気装置の動作の流れを示すフローチャートである。ステップＳ２０１において、制御部５２は、弱の運転強度で送風機１を運転する。ステップＳ２０２において、制御部５２は、建屋に別途設置された換気扇２００の運転状態情報を受信装置７により取得し、建屋に別途設置された換気扇２００の運転強度が弱、中及び強のいずれであるかを判断する。制御部５２が、建屋に別途設置された換気扇２００の運転強度が弱であると判断したならば、ステップＳ２０２で弱となる。ステップＳ２０１に進んで制御部５２は、弱の運転強度での送風機１の運転を継続する。制御部５２が、建屋に別途設置された換気扇２００の運転強度が中であると判断したならば、ステップＳ２０２で中となる。ステップＳ２０３において、制御部５２は、中の運転強度で送風機１を運転する。制御部５２が、建屋に別途設置された換気扇２００の運転強度が強であると判断したならば、ステップＳ２０２で強となる。ステップＳ２０４において、制御部５２は、強の運転強度で送風機１を運転する。ステップＳ２０１、Ｓ２０３又はＳ２０４の後は、ステップＳ２０２に進む。
【００２７】
浴室用又は台所用といった換気風量が多い換気扇は、運転時に屋内に負圧が発生しやすい。実施の形態２に係る空気清浄換気装置１０２は、建屋に別途設置された換気扇２００の運転強度が強いほど送風機１の運転強度を強くして、除塵脱臭装置２を通過して屋内に供給される清浄空気４の量を増やすことができる。したがって、実施の形態２に係る空気清浄換気装置１０２は、建屋の隙間から清浄化されないまま屋内に侵入する屋外空気３の割合が高まることを防止することができる。
【００２８】
実施の形態３．
図７は、本発明の実施の形態３に係る空気清浄換気装置の機能ブロック図である。図８及び図９は、実施の形態３に係る空気清浄換気装置の模式図である。実施の形態３に係る空気清浄換気装置１０３は、送風機１が屋内から空気を取り込む第２の空気取込口である還気口１ｅを備える点と、給気口１ｄを経て送風機１に取り込まれる屋外空気３及び還気口１ｅを経て送風機１に取り込まれる循環空気９の比率を変化させる風量調整ダンパ８を備える点で実施の形態２に係る空気清浄換気装置１０２と相違する。循環空気９は、吹出口１ｆから屋内へ吹き出された後に送風機１に取り込まれて屋内を循環する空気である。風量調整ダンパ８は、給気口１ｄ側の風路が狭くかつ還気口１ｅ側の風路が広い循環優先位置と、給気口１ｄ側の風路が広くかつ還気口１ｅ側の風路が狭い給気優先位置とのいずれかに配置される。制御部５３は、運転状態情報に基づいて送風機１の運転強度を制御するとともに、給気優先位置又は循環優先位置に風量調整ダンパ８を移動させる。送風機１及び除塵脱臭装置２は、実施の形態１と同様である。
【００２９】
図８は、風量調整ダンパ８が循環優先位置に配置された状態を示し、図９は、風量調整ダンパ８が給気優先位置に配置された状態を示している。風量調整ダンパ８が給気優先位置に配置されている場合、送風機１が取り込む空気のうち屋外空気３が占める割合は、風量調整ダンパ８が循環優先位置に配置されている場合よりも高くなる。すなわち、風量調整ダンパ８が循環優先位置に配置されている状態では、循環空気９の風量は、風量調整ダンパ８が給気優先位置に配置されている状態よりも多くなる。
【００３０】
制御部５３は、送風機１の運転強度を強くする際に、送風機１に取り込まれる空気のうちで屋外空気３の割合を高める方向に風量調整ダンパ８を移動させ、送風機１の運転強度を弱くする際に、送風機１に取り込まれる空気のうちで屋外空気３の割合を低める方向に風量調整ダンパ８を移動させる。
【００３１】
実施の形態３に係る空気清浄換気装置１０３の動作について説明する。なお、以下の説明では、送風機１の運転強度は弱及び強の２段階であるとする。また、建屋に別途設置された換気扇２００の運転強度は１段階であり、運転か停止かのいずれかの状態をとるものとする。
【００３２】
図１０は、実施の形態３に係る空気清浄換気装置の動作の流れを示すフローチャートである。ステップＳ３０１において、制御部５３は、弱の運転強度で送風機１を運転するとともに、風量調整ダンパ８を循環優先位置に配置する。ステップＳ３０２において、制御部は、建屋に別途設置された換気扇２００の運転状態情報を受信装置により取得し、建屋に別途設置された換気扇２００が運転中か否かを判断する。建屋に別途設置された換気扇２００が停止中であれば、ステップＳ３０２でＮｏとなり、ステップＳ３０１に進んで、制御部５３は、弱の運転強度で送風機１を運転するとともに、風量調整ダンパ８を循環優先位置に配置したままにし、弱の運転強度での送風機１の運転を継続する。建屋に別途設置された換気扇２００が運転中であれば、ステップＳ３０２でＹｅｓとなり、ステップＳ３０３において、制御部５３は、強の運転強度で送風機１を運転するとともに、風量調整ダンパ８を給気優先位置に配置する。ステップＳ３０３の後は、ステップＳ３０２に進む。
【００３３】
風量調整ダンパを備えない空気清浄換気装置又は風量調整ダンパを送風機の運転強度の変更に連動して移動させることができない空気清浄換気装置の場合は、送風機が取り込む空気のうち屋外空気が占める割合が一定であるため、送風機が取り込む屋外空気の量を増やすには、送風機の運転強度を強くせざるを得ない。これに対し、実施の形態３に係る空気清浄換気装置１０３は、送風機１が取り込む空気のうち屋外空気３が占める割合を、送風機１の運転強度が弱の時と強の時とで変えることができる。したがって、送風機１の運転強度を強にする際には、送風機１が取り込む空気のうち屋外空気３が占める割合を高くすることができる。よって、実施の形態３に係る空気清浄換気装置１０３は、送風機１の運転強度を強にする際には、送風機１が取り込む空気のうち屋外空気３が占める割合を高くすることで、送風機１が取り込む空気のうち屋外空気３が占める割合を変えない場合と比較して小さい総風量で同じ屋外空気の風量を確保できる。したがって、空気清浄換気装置１０３から発生する騒音及び消費電力を低減することができる。
【００３４】
上記の実施の形態１の制御部５の機能、実施の形態２の制御部５２の機能及び実施の形態３の制御部５３の機能は、処理回路により実現される。すなわち、制御部５は、負圧強度測定手段の測定結果に基づいて送風機１の運転強度を制御する処理を行う処理回路を備える。制御部５２は、運転状態情報に基づいて送風機１の運転強度を制御する処理を行う処理回路を備える。制御部５３は、運転状態情報に基づいて送風機１の運転強度を制御する処理、及び送風機１の運転強度を強くする際に、送風機１に取り込まれる空気のうちで屋外空気３の割合を高める方向に風量調整ダンパ８を移動させ、送風機１の運転強度を弱くする際に、送風機１に取り込まれる空気のうちで屋外空気３の割合を低める方向に風量調整ダンパ８を移動させる処理を行う処理回路を備える。また、処理回路は、専用のハードウェアであっても、記憶装置に格納されるプログラムを実行する演算装置であってもよい。
【００３５】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図１１は、実施の形態１、実施の形態２又は実施の形態３に係る空気清浄換気装置の制御部の機能をハードウェアで実現した構成を示す図である。処理回路１９には、負圧強度測定手段の測定結果に基づいて送風機１の運転強度を制御する処理、又は運転状態情報に基づいて送風機１の運転強度を制御する処理を実現する論理回路１９ａが組み込まれている。あるいは、処理回路１９には、送風機１の運転強度を強くする際に、送風機１に取り込まれる空気のうちで屋外空気３の割合を高める方向に風量調整ダンパ８を移動させ、送風機１の運転強度を弱くする際に、送風機１に取り込まれる空気のうちで屋外空気３の割合を低める方向に風量調整ダンパ８を移動させる処理を実現する論理回路１９ａが組み込まれている。
【００３６】
処理回路が演算装置の場合、負圧強度測定手段の測定結果に基づいて送風機１の運転強度を制御する処理、又は運転状態情報に基づいて送風機１の運転強度を制御する処理は、ソフトウェア、ファームウェア、又はソフトウェアとファームウェアとの組み合わせにより実現される。あるいは、処理回路が演算装置の場合、送風機１の運転強度を強くする際に、送風機１に取り込まれる空気のうちで屋外空気３の割合を高める方向に風量調整ダンパ８を移動させ、送風機１の運転強度を弱くする際に、送風機１に取り込まれる空気のうちで屋外空気３の割合を低める方向に風量調整ダンパ８を移動させる処理は、ソフトウェア、ファームウェア、又はソフトウェアとファームウェアとの組み合わせにより実現される。
【００３７】
図１２は、実施の形態１、実施の形態２又は実施の形態３に係る空気清浄換気装置の制御部の機能をソフトウェアで実現した構成を示す図である。処理回路１９は、プログラム１９ｂを実行する演算装置１９１と、演算装置１９１がワークエリアに用いるランダムアクセスメモリ１９２と、プログラム１９ｂを記憶する記憶装置１９３を有する。記憶装置１９３に記憶されているプログラム１９ｂを演算装置１９１がランダムアクセスメモリ１９２上に展開し、実行することにより、負圧強度測定手段の測定結果に基づいて送風機１の運転強度を制御する処理、運転状態情報に基づいて送風機１の運転強度を制御する処理、又は送風機１の運転強度を強くする際に、送風機１に取り込まれる空気のうちで屋外空気３の割合を高める方向に風量調整ダンパ８を移動させ、送風機１の運転強度を弱くする際に、送風機１に取り込まれる空気のうちで屋外空気３の割合を低める方向に風量調整ダンパ８を移動させる処理が実現される。ソフトウェア又はファームウェアはプログラム言語で記述され、記憶装置１９３に格納される。
【００３８】
処理回路１９は、記憶装置１９３に記憶されたプログラム１９ｂを読み出して実行することにより、各処理を実現する。すなわち、制御部５，５２，５３は、処理回路１９により実行されるときに、負圧強度測定手段の測定結果に基づいて送風機１の運転強度を制御するステップ、運転状態情報に基づいて送風機１の運転強度を制御するステップ、又は送風機１の運転強度を強くする際に、送風機１に取り込まれる空気のうちで屋外空気３の割合を高める方向に風量調整ダンパ８を移動させ、送風機１の運転強度を弱くする際に、送風機１に取り込まれる空気のうちで屋外空気３の割合を低める方向に風量調整ダンパ８を移動させるステップが結果的に実行されることになるプログラム１９ｂを記憶するための記憶装置１９３を備える。また、プログラム１９ｂは、上記の手順及び方法をコンピュータに実行させるものであるとも言える。
【００３９】
なお、負圧強度測定手段の測定結果に基づいて送風機１の運転強度を制御する処理、運転状態情報に基づいて送風機１の運転強度を制御する処理、及び送風機１の運転強度を強くする際に、送風機１に取り込まれる空気のうちで屋外空気３の割合を高める方向に風量調整ダンパ８を移動させ、送風機１の運転強度を弱くする際に、送風機１に取り込まれる空気のうちで屋外空気３の割合を低める方向に風量調整ダンパ８を移動させる処理について、一部を専用のハードウェアで実現し、一部をソフトウェア又はファームウェアで実現するようにしてもよい。
【００４０】
このように、処理回路１９は、ハードウェア、ソフトウェア、ファームウェア、又はこれらの組み合わせによって、上述の各機能を実現することができる。
【００４１】
以上の実施の形態に示した構成は、本発明の内容の一例を示すものであり、別の公知の技術と組み合わせることも可能であるし、本発明の要旨を逸脱しない範囲で、構成の一部を省略及び変更することも可能である。
【符号の説明】
【００４２】
１  送風機、１ａ  モータ、１ｂ  シャフト、１ｃ  ファン、１ｄ  給気口、１ｅ  還気口、１ｆ  吹出口、２  除塵脱臭装置、３  屋外空気、４  清浄空気、５，５２，５３  制御部、６  屋内外圧力センサ、７  受信装置、８  風量調整ダンパ、９  循環空気、１９  処理回路、１９ａ  論理回路、１９ｂ  プログラム、１０１，１０２，１０３  空気清浄換気装置、１９１  演算装置、１９２  ランダムアクセスメモリ、１９３  記憶装置、２００  換気扇。
【図１】
2018031516.tif 000003
【図２】
2018031516.tif 000004
【図３】
2018031516.tif 000005
【図４】
2018031516.tif 000006
【図５】
2018031516.tif 000007
【図６】
2018031516.tif 000008
【図７】
2018031516.tif 000009
【図８】
2018031516.tif 000010
【図９】
2018031516.tif 000011
【図１０】
2018031516.tif 000012
【図１１】
2018031516.tif 000013
【図１２】
2018031516.tif 000014